(57)【要約】【課題】ＩＣインレイ、本文用紙、電磁波遮蔽シート、表紙からなる非接触型情報媒体付き冊子において、複数枚ある本文用紙の中にスキミング防止機能を付与させ、かつ、正規の機械読み取りは支障なく行なえる非接触型情報媒体付き冊子を提供する。【解決手段】非接触型情報媒体付き冊子１に対して、電磁波を遮蔽する電磁波遮蔽シート６でＩＣインレイ５を挟み込むように冊子内に設けることで外部からの不正な情報読み取りを遮断し、また、冊子内に電磁波遮蔽シート６を挿入することで表紙２の種類を問わず、スキミングを未然に防止する。【選択図】図１
2014069449.tif 000002
【特許請求の範囲】
【請求項１】
内側に接着層を有する少なくとも２つの基材の間に前記接着層を介して挟み込まれるＩＣチップおよび該ＩＣチップに接続されたアンテナコイルからなるＩＣインレイと、前記ＩＣインレイの表面及び裏面を挟み込む形で挿入されて外部からの電磁波を遮蔽する少なくとも２枚の電磁波遮蔽シートと、複数枚の本文用紙と、表紙とを具備し、
前記ＩＣインレイと前記電磁波遮蔽シート及び前記本文用紙を前記表紙の内側に一体化して冊子状に形成し、冊子を開いた状態では前記ＩＣインレイに対する外部からの情報の読取りを可能とし、該冊子を閉じた状態では前記電磁波遮蔽シートにより前記ＩＣインレイに対する外部からの情報の読取りを防止することを特徴とするスキミング防止機能を有した非接触型情報媒体付き冊子。
【請求項２】
ＩＣインレイと、電磁波遮蔽シートと、複数枚の本文用紙と、表紙とを中綴じして冊子化したことを特徴する請求項１に記載のスキミング防止機能を有した非接触型情報媒体付き冊子。
【請求項３】
前記ＩＣインレイは、内側に熱可塑性接着剤を塗布してなる多孔質の熱可塑性基材の間に配置し、熱圧着して作製したことを特徴とする請求項１又は２に記載のスキミング防止機能を有した非接触型情報媒体付き冊子。
【発明の詳細な説明】
【技術分野】
【０００１】
本発明は、スキミング防止機能を有した非接触型情報媒体付き冊子に関する。
【背景技術】
【０００２】
近年、非接触ＩＣカードや非接触ＩＣタグを用いたシステムが普及する中、例えばパスポートや預貯金通帳等の冊子に非接触ＩＣモジュールとそれに接続されたアンテナからなるＩＣインレットを基材で挟み込んで非接触媒体であるＩＣインレイとし、このＩＣインレイと表紙とを貼り合わせた上で、内貼り用紙と本文用紙を取り付けて装丁したり、ＩＣインレイを本文用紙の一部として挿入したりした、電子データの記入や印字が可能な非接触型情報媒体付き冊子が開発され、公知となっている（例えば、特許文献１参照）。
【０００３】
このような非接触型情報媒体付き冊子の一事例として、第１の基材の上面側に、所定の広さの開口部を有する第２の基材が接着されて凹部が形成され、この凹部内にＩＣチップとこれに接続されたコイルアンテナが備えられ、前記第１の基材シートの下面側に接着剤層が設けられているＩＣインレイと、このＩＣインレイが裏表紙の内面に貼付されてなる非接触型情報媒体付き冊子がある（例えば、特許文献２、３参照）。
【０００４】
また、同じくパスポートを例に取ると、冊子に偽変造防止機能を付加させることが行なわれている。冊子の偽造を防止するためには一般的に用いられている偽造防止技術を使用することが出来、例えば見る角度によって色が変化するインキ（ＯＶＩ）や、用紙自体に特殊な蛍光を発する糸を漉き込んだり、セキュリティスレッドを挿入したりすることも行なわれている。また、近年では機械検知によって偽変造を判別するため、例えば特殊な波長で蛍光を発するようインキを印刷することなども行なわれている。更に、名前や顔写真などの個人情報を守るために、例えばホログラムフィルムのラミネートが施されていたり、レーザーエングレービングによって個人情報を記録したりして偽造や変造に対してのセキュリティ性の向上が施されている（例えば、特許文献４参照。）。
【０００５】
ＩＣチップを搭載した非接触型情報媒体には、氏名、性別、住所、ＩＤ番号などの個人情報だけでなく、顔写真や指紋などの膨大な個人情報が記録されており（例えば、参考文献５参照）、偽造や変造に対するセキュリティ性の向上以外に悪意あるものからのスキミングと呼ばれている不正な読み取りに対しての対策も求められている。
【０００６】
スキミングは接触型ＩＣカードのような接触型情報媒体などは悪意のある者が不正に読み取り機を接触させることで情報を違法取得するという問題があるが、接触させなければ情報を読み取られることはないため、使用時以外は外からの読み取りを不可能にするような携帯用物入れのようなスキミング防止アイテムが提案されている（例えば、特許文献６参照。）。その一方で、非接触型ＩＣやパスポートのような非接触型情報媒体は読み取り機の電磁波の影響を及ぼす範囲であれば情報の読み取りが可能であり、接触せずに離れていてもスキミングをされ、情報を読み取られる可能性がある。
【先行技術文献】
【特許文献】
【０００７】
【特許文献１】特開２００８−８７３９６号公報
【特許文献２】特開２００２−４２０６８号公報
【特許文献３】特開２００６−９９５６２号公報
【特許文献４】特開２００８−３０８５５５号公報
【特許文献５】特開２００５−２７９９７５号公報
【特許文献６】実用新案登録第３１１４３４０号公報
【発明の概要】
【発明が解決しようとする課題】
【０００８】
しかしながら、上記従来のようにパスポートや預貯金通帳等の冊子に非接触ＩＣモジュールとそれに接続されたアンテナからなるＩＣインレットを基材で挟み込んで非接触媒体であるＩＣインレイとし、このＩＣインレイと表紙とを貼り合わせた上で、内貼り用紙と本文用紙を取り付けて電子データの記入を可能とした非接触型情報媒体付き冊子においては、読み取り機の電磁波の影響を及ぼす範囲であれば非接触型情報媒体から記憶情報を読み取ることが可能であり、接触せずに離れていてもスキミングをされ、情報を読み取られる可能性がある。
【０００９】
また、本文用紙の一部分にＩＣインレイを挿入してなる非接触型情報媒体付き冊子の場合、表紙に電磁波遮蔽シートを施してＩＣインレイを挟み込むことも可能ではあるが、表紙が硬くなり、携帯している際に表紙と本文用紙の間に隙間が空き、スキミングされる可能性がある。
【００１０】
本発明が解決しようとする課題は、ＩＣインレイ、本文用紙、電磁波遮蔽シート、内貼り用紙、表紙からなる非接触型情報媒体付き冊子において、複数枚ある前記本文用紙の中にスキミング防止機能を付与させ、かつ、正規の機械読み取りは支障なく行なうことができるスキミング防止機能を有した非接触型情報媒体付き冊子を提供することにある。
【課題を解決するための手段】
【００１１】
本発明の請求項１に係るスキミング防止機能を有した非接触型情報媒体付き冊子は、内側に接着層を有する少なくとも２つの基材の間に前記接着層を介して挟み込まれるＩＣチップおよび該ＩＣチップに接続されたアンテナコイルからなるＩＣインレイと、前記ＩＣインレイの表面及び裏面を挟み込む形で挿入されて外部からの電磁波を遮蔽する少なくとも２枚の電磁波遮蔽シートと、複数枚の本文用紙と、表紙とを具備し、前記ＩＣインレイと前記電磁波遮蔽シート及び前記本文用紙を前記表紙の内側に一体化して冊子状に形成し、冊子を開いた状態では前記ＩＣインレイに対する外部からの情報の読取りを可能とし、該冊子を閉じた状態では前記電磁波遮蔽シートにより前記ＩＣインレイに対する外部からの情報の読取りを防止することを特徴とする。
【００１２】
本発明の請求項２は、前記請求項１に係るスキミング防止機能を有した非接触型情報媒体付き冊子において、ＩＣインレイと、電磁波遮蔽シートと、複数枚の本文用紙と、表紙とを中綴じして冊子化したことを特徴する。
【００１３】
本発明の請求項３は、前記請求項１又は２に記載の非接触情報媒体付き冊子において、前記ＩＣインレイは、内側に熱可塑性接着剤を塗布してなる多孔質の熱可塑性基材の間に配置し、熱圧着して作製したことを特徴とする。
【発明の効果】
【００１４】
請求項１に係る発明によれば、ＩＣインレイを有する非接触型情報媒体付き冊子に電磁波を遮蔽するための電磁波遮蔽シートをＩＣインレイが挿入された本文用紙部分に挟み込む形で挿入することで、非接触情報媒体付き冊子を閉じた状態にすると、ＩＣインレイに電磁波遮蔽シートが密着もしくはＩＣインレイと電磁波遮蔽シートの間に１枚以上の本文用紙を挟んだ隙間のない構造を取ることができる。そのため、冊子の表裏どちら側からリーダライタによる読み取り、すなわちスキミングが行なわれても情報の読取りを確実に防止することができる。また、冊子内に電磁波遮蔽シートを挿入することで表紙の種類を問わずスキミングを未然に防止でき、表紙に電磁波遮蔽シートを施した場合よりもスキミング防止効果を向上することができる。
【００１５】
一方、非接触情報媒体付き冊子を開いた状態にすると、ＩＣインレイと電磁波遮蔽シートとは距離ができかつＩＣインレイ部分のみリーダライタで読み込ませることが可能なため、必要なときにだけ情報の引き出しが可能である。
【００１６】
請求項２に係る発明によれば、非接触情報媒体付き冊子を簡易な方法で作製することができる。
請求項３に係る発明によれば、多孔質の熱可塑性基材に熱可塑性接着剤を塗布して熱圧着により接着することで、柔軟性と平滑性に優れたＩＣインレイを得ることが出来る。
【図面の簡単な説明】
【００１７】
【図１】本発明の実施の形態に係る非接触型情報媒体付き冊子の一実施の形態を模式的に示す斜視図である。
【図２】本発明の実施の形態に係る非接触型情報媒体付き冊子のＩＣインレイの構成を模式的に表す断面図である。
【図３】本発明の実施の形態に係る非接触型情報媒体付き冊子の電磁波遮蔽シートを施していない冊子部分を模式的に表す断面図である。
【図４】本発明の実施の形態に係る非接触型情報媒体付き冊子の電磁波遮蔽シートを施した冊子部分を模式的に表す断面図である。
【発明を実施するための形態】
【００１８】
以下、本発明の実施の形態について図面を参照して説明する。
図１は、本発明の実施の形態に係る非接触型情報媒体付き冊子１を模式的に示す斜視図である。非接触型情報媒体付き冊子１は、表紙２の内面に内貼り用紙３が貼着されており、これに複数の本文用紙４が取り付けられている。更に、その複数の本文用紙間にＩＣインレイ５が挿入されており、そのＩＣインレイ５を挟み込む形で電磁波遮蔽シート６が挿入されて構成されている。
【００１９】
ＩＣインレイ５は、図２に示すように、アンテナシート７、アンテナコイル８およびＩＣチップ９で構成されたＩＣインレットを基材１０で挟み込む形状を取っている。このＩＣインレイ５の一部であるＩＣインレットは、アンテナシート７上にエッチング方式やワイヤボンディング方式、印刷アンテナ方式などによってアンテナコイル８が形成され、このアンテナコイル８に、ＩＣチップ９が溶接方式などによって接続されている。
【００２０】
ＩＣインレイ５は、複数（この例では２つ）の基材１０の間に配置（挟持）されている。基材１０の各内側には、基材１０を貼り合わせるための層である接着層１１を塗布し、熱圧着することで作製している。
【００２１】
従来のＩＣチップとそのアンテナを内蔵したモジュールを冊子１に挟み込んだパスポートのような冊子１では、３ｍｍ以上あるような厚いＩＣが内蔵されたモジュールが冊子１に挟み込まれているものが知られている。しかし、この構成では、通常、冊子１の表表紙と裏表紙が厚紙を用いているため、冊子１を閉じた際に表表紙と裏表紙の端部がうまく重なり合わず、きちんと冊子１を閉じることができずないので、持ち運びの際に冊子１中の紙が折れ曲がったり、取り出す際に冊子１を破損したりするため好ましくない。
【００２２】
一方、この実施の形態におけるＩＣインレイ５は、上述のＩＣインレットを基材１０で挟み込むことによって、２００μｍから８００μｍ程度の薄いＩＣインレイ５を実現している。このため冊子１を閉じた際にも表表紙と裏表紙の端部がうまく重なり、きちんと冊子１を閉じることができ、持ち運びの際に冊子１中の紙が折れ曲がったり、取り出す際に冊子１を破損したりしないため好ましい。
【００２３】
しかし、このような薄いＩＣインレイ５では、ＩＣチップ９やそのアンテナコイル８が透けて見えてしまい、その外観を著しく害してしまうので好ましくない。そこで、この実施の形態に係るＩＣインレイ５では、基材１０に白色隠蔽層を形成することにより、ＩＣチップ９やアンテナコイル８を隠蔽して良好な外観を得ることができる。
【００２４】
このとき白色隠蔽層は、顔料として酸化チタンを、塩化ビニル樹脂、酢酸ビニル樹脂、ビニルアルコール樹脂、アクリル樹脂、ポリエステル系樹脂、ポリウレタン系樹脂やそれらの共重合体のような熱可塑樹脂、エポキシ樹脂、フェノール樹脂、メラミン樹脂のような熱硬化樹脂、紫外線硬化樹脂などの樹脂に添加したものが加工適性、隠蔽性に優れ好ましく用いられる。このとき白色隠蔽層は１μｍ以上、５μｍ以下であることが好ましく、１μｍより薄いと十分な隠蔽性が得られず、５μｍより厚いと隠蔽層のワレ等が発生してしまう。この白色隠蔽層を形成するには、スクリーン印刷法やグラビア印刷法を用いることができる。
【００２５】
また、このような隠蔽層を冊子中に用いている用紙と同種のものに上述の白色隠蔽層をスクリーン印刷法やグラビア印刷法で１μｍ以上、５μｍ以下でコーティングしたものをＩＣインレイ５の両側に張り合わせることもできる。これにより、さらに高い隠蔽性と冊子中の他の用紙との質感を揃えることができ、外観もさらに向上させることができる。上記白色隠蔽層は用紙の外側あるいは内側のいずれにも形成することが可能であるが、用紙の外側に白色隠蔽層を形成した場合はＩＣインレイ５への張り合わせが容易であり、また、用紙の内側に白色隠蔽層を形成した場合は冊子中の他の用紙との質感をより確実に揃えることができる。上記白色隠蔽層は１μｍより薄いと十分な隠蔽性が得られず、５μｍより厚いと隠蔽性のワレ等が発生してしまう。この白色隠蔽層を形成するには、スクリーン印刷法やグラビア印刷法を用いることができる。
【００２６】
また、白色隠蔽層に加えて、アルミニウム粉または墨粉を、塩化ビニル樹脂、酢酸ビニル樹脂、ビニルアルコール樹脂、アクリル樹脂、ポリエステル系樹脂、ポリウレタン系樹脂やそれらの共重合体のような熱可塑樹脂、エポキシ樹脂、フェノール樹脂、メラミン樹脂のような熱硬化樹脂、紫外線硬化樹脂などの樹脂に分散した下地層を設けることによって、さらに隠蔽性を高めることができるため好ましい。このとき下地層は１μｍ以上、５μｍ以下であることが好ましく、１μｍより薄いと隠蔽性がほとんど向上せず、５μｍより厚いとワレや剥離が発生してしまい好ましくない。この下地層は、スクリーン印刷法やグラビア印刷法により形成することができ、下地層と白色隠蔽層をワンパスで塗布することもできる。
【００２７】
なお、図２で示したＩＣインレイ５の形態は一例であり、本発明はこの形に限定されるものではない。
また、アンテナシート７、アンテナコイル８およびＩＣチップ９からなるＩＣインレットは、ＩＣチップ自身の厚みや、アンテナの厚み、ジャンパ線とアンテナの接合部や、アンテナシート基材自体の厚みなどにより、凹凸のあるシートとなっている。このＩＣインレットを基材１０の間に挟んで加工する際、外観上はこれらの凹凸を無くすことが望ましい。そのため、基材１０にＩＣチップ９が収まる穴または溝を開け、ＩＣチップ９が収まるようにしている。
【００２８】
基材１０としては、例えば、ポリ塩化ビニル（ＰＶＣ）、ＰＥＴ−Ｇ（テレフタル酸とエチレングリコールにより生産されるポリエステル樹脂にエチレングリコールの一定含有量をシクロヘキサンジメタノールに置き換えた変性ポリエステル樹脂）、ポリエチレン、ポリオレフィン、ポリエステル、ポリカーボネート、ポリスチレンなどの平滑なシートだけではなく、これらの樹脂を単体または組み合わせて使用し、シリカなどの多孔質粒子を混合したり、混合時に空気をいれて発泡したり、延伸後に穿孔加工したりすることで、穴や窪みを樹脂シート内に加工した多孔質熱可塑性基材を使用することができる。
【００２９】
このような多孔質熱可塑性基材は、一般にインクジェットやオフセットなどに対する印刷適性を付与した樹脂シート又は合成紙として市販されている。また、基材１０に多孔質熱可塑性基材を使用することで柔軟性のあるＩＣインレイ５を形成することが可能となる。外観や耐性、加工性など必要に応じて基材１０の種類や硬さを選ぶことも可能である。
【００３０】
また、ＩＣインレイ５は、ＩＣカードに代表されるように熱ラミネート方式で製造される事が主流になっている。これは熱可塑性の基材や熱可塑性の接着剤を使用してＩＣチップおよびアンテナを基材間に挟んで成形するものであり、製造方法が容易である。しかし、従来の方法でこのＩＣインレイを冊子の表紙と接着剤を介して接着させるとＩＣインレイの厚みやＩＣチップおよびアンテナの硬さが加わり表紙としての剛度が増すため、冊子を使用する際に使い難いことがあり、利便性を考慮した材料を選ぶ必要がある。
【００３１】
ＩＣインレイ５は、図３、図４に示すように２枚の基材１０のそれぞれ内側にあたる部分に、あらかじめ接着剤を塗布し、熱圧をかけることで接着している。図３は非接触型情報媒体付き冊子の電磁波遮蔽シートを施していない冊子部分を模式的に表す断面図、図４は非接触型情報媒体付き冊子の電磁波遮蔽シートを施した冊子部分を模式的に表す断面図である。
【００３２】
上記基材１０に塗布する接着剤は、エチレン−酢酸ビニル共重合体系、エチレン−メタクリル酸共重合体系、ポリエステル系、アクリル系、ナイロン系、ポリアミド系、ポリウレタン系、ポリオレフィン系など、一般的な各種熱可塑性の樹脂を使用することができる。
【００３３】
これらの中でも、特に水分に強く、酸素や塩化物イオンの透過を抑制するような塗膜を形成する樹脂、また熱や湿度により劣化し接着部分に剥がれを生じないものを使用する。これらの性能を両立させるために２種類以上の樹脂を混合したり、２層に塗工したりすることも可能である。また、後工程や作業性の面から、塗工が容易で、乾燥後のブロッキングが生じにくく、耐久性の高いものが使用に適する。
【００３４】
例えば、エチレン−メタクリル酸共重合体系の接着剤にエポキシ系架橋剤を添加したものや、ポリオレフィン系、アクリル系の接着剤などはより好適な性能を得ることが出来る。一方、一般的にポリエステル系の接着剤は湿度による加水分解が生じる可能性があり、エチレン−酢酸ビニル共重合体系接着剤は経時劣化し易いので注意が必要である。また、上記の樹脂を使用してエマルジョンやディスパージョンにした水系のヒートシール剤を用いる場合には、それらのヒートシール剤自体がアンテナ等に悪影響を与えないかについても注意が必要である。
【００３５】
また、図４で示すように、非接触型情報媒体付き冊子１は、ＩＣインレイ５を複数枚の本文用紙４の間に挿入し、電磁波遮蔽シート６をＩＣインレイ５よりも外側に配置させ、最外部の本文用紙４と内貼り用紙３を接着させて中央で中綴じすることで非接触型情報媒体付き冊子１の表紙２以外の部分を得る。
【００３６】
電磁波遮蔽シート６は、一般的に用いられる金属板として冊子内に挿入することを考慮して金属箔を用いた。この電磁波遮蔽シート６を金属箔のまま冊子の一部として製本することも可能であるが、本文用紙４と同じ用紙を用いて金属箔を挟み込むことで、外部から気付き難くすることができる。接着剤が塗布された本文用紙４に金属箔を挟み込み、ラミネートすることで一枚の用紙状の電磁波遮蔽シート６として本文用紙４と一体化させた。
【００３７】
電磁波遮蔽シート６は、ＩＣインレイ５よりも本文用紙４中の外側に少なくとも２枚設置し、冊子１を閉じた際にＩＣインレイ５を挟み込む構造をしていれば良い。一般的に電磁波遮蔽シート６は充分に電磁波を遮蔽できる導電性材料であればよく、例えば金、銀、銅、ニッケル、クロム、アルミニウム、ステンレス、導電性樹脂、磁性粉、カーボンブラック、半導体、導電性有機材料が挙げられ、これらの金属を単体で用いても数種類をブレンドした合金、多層で構成されたものでも良い。また、銅やニッケルは高い電磁波遮断性があることやアルミニウムは安価であることなど用途に応じて選択する必要がある。
【００３８】
電磁波遮蔽シート６を金属板（金属箔）ではなく、金属メッシュを用いることで透過性に優れたシートを得ることができる。この金属メッシュを用いることで、データページのように読み取りが必要な部分にも電磁波遮蔽シート６を施すことが可能となる。本文用紙４の中にデータページのような読み取りが必要な箇所に電磁波遮蔽シート６をオーバーレイするように配置したい場合は、オーバーレイとして使用する１枚の電磁波遮蔽シート６を金属メッシュとすることで、データページの様に用紙に印字された柄や個人情報など読み取ることが可能な部分にも使用することが可能となる。一般的に金属メッシュは、フィルムに貼り合わせた金属箔をエッチングして細線のメッシュ形成をいったものである。フィルムとしては、重ね合わせる用紙の情報が読み取れる透明性、加工性、耐性などがあれば良く、例えば、ポリエステル樹脂、ポリアミド樹脂、ポリオレフィン樹脂、ビニル樹脂、アクリル樹脂、スチレン樹脂、セルロース樹脂、エンジニアリング樹脂などが挙げられる。また、より透明性が必要な場合は好適なフィルムを選ぶ必要があり、更にできる限り金属メッシュの径を細くすることで透明度を増すことが可能となる。
【００３９】
更に、ＩＣインレイ５は、アンテナシート７、アンテナコイル８およびＩＣチップ９からなるＩＣインレットのアンテナシート７側とは逆の位置に金属箔を挟み込みこむことも可能である。
【００４０】
用途に応じて、金属板（金属箔）や金属メッシュといった電磁波遮蔽シート６の形状を選択し、冊子に馴染む形態に容易に加工ができる。
なお、図４で示した冊子形態は一例であり、本発明はこの形に限定されるものではい。
【００４１】
内貼り用紙３を接着する接着剤は、作業性や環境の側面からも水系のエマルジョン接着剤を使用する場合が多く、また、実際にはこれまで冊子を製造してきた設備を使用することも多いので、布と紙の貼り合わせ用としての接着剤が選ぶことができる。例えば、エポキシ系、シリコン系接着剤、エチレン−酢酸ビニル共重合体系、エチレン−メタクリル酸共重合体系、ポリエステル系、アクリル系、ナイロン系、ポリアミド系、ポリウレタン系、ポリオレフィン系などが挙げられ、各種のホットメルト接着剤なども使用可能である。
【実施例】
【００４２】
以下に本発明に係る、スキミング防止機能を有した非接触型情報媒体付き冊子について説明するが、本発明はこの形に限定されるものではない。
＜実施例１＞
ＩＣインレットの作製：ポリエチレンテレフタレート（ＰＥＴ）シートをアンテナシート７として、その表面にアンテナコイル８を形成すると共に裏面にアンテナジャンパを形成し、アンテナコイル８とジャンパ線とを接合した一般的なシートを用意した。アンテナコイル８の接続端子部にＩＣチップ９を接続しＩＣインレットを得た。
【００４３】
ＩＣインレイの作製：基材として熱可塑性シートを準備し、このシートの内側部分にグラビア印刷機を用いて接着層１１としてユニチカ株式会社製「エリーテルＫＡ−５０３４」を５μｍ塗布した後、１３５℃のオーブンに入れて乾燥させた。
【００４４】
更に図２の下側となる接着層１１を設けた基材１０はＩＣチップ９を収納する穴を設けた。
これらの上下２枚の接着層１１が塗布された基材１０の内側に挟み込む形でＩＣインレットを設置し、ローラーで１１０℃以上１６０℃以下にしながら圧力をかけて接着させて、ＩＣインレイ５を得た。
【００４５】
電磁波遮蔽シート６の挿入：本文用紙４と同様の用紙を２枚用意し、ユニチカ株式会社製「エリーテルＫＴ−８８０３」を５μｍ塗布した後、１３５℃オーブンに入れ乾燥させた。その後、電磁波遮蔽シート６である銅箔を用意し、本文用紙４の接着剤が塗布されている面と面の間に配置して丁合いを行ないローラーで８０℃以上１３０℃以下にしながら圧力をかけて接着させることで電磁波遮蔽シート６を得た。
【００４６】
非接触型情報媒体付き冊子１の作製：冊子１の中央部分からＩＣインレイ５、本文用紙４、電磁波遮蔽シート６の順に重ね合わせ、本文冊子の最外部分と内貼り用紙３を丁合いし接してから、中央をミシンで縫うことで内貼り用紙３が取り付けられた冊子１を作製した。
【００４７】
上記で得られた本文冊子に貼着されている内貼り用紙３とは反対の面と表紙２を接着剤で接着することで非接触型情報媒体付き冊子１を得た。
以下、本発明の比較例について説明する。
＜実施例２＞
ＩＣインレットの作製を実施例１と同様に作製した後、電磁波遮蔽シート６の挿入はせず、複数枚の本文用紙４と１枚の内貼り用紙３を丁合いし、中央をミシンで縫うことで内貼り用紙３が最外部に取り付けられた本文冊子を作製した。その後、本文冊子に貼着されている内貼り用紙３とは反対の面と表紙２を接着剤で接着することで電磁波遮蔽シート６が挿入されていない非接触型情報媒体付き冊子を得た。
＜比較結果＞
実施例１と実施例２において、スキミング防止性能をみるために、実際に各冊子１を開けた場合と閉めた場合に外側から、リーダライタを用いてＩＣチップ９内の情報を読み取れるか確認を行なった。
【００４８】
実施例１では外部および内部関係なくＩＣチップ９内の情報を読み取ることができた。
実施例２では、冊子１の開閉に関係なく、外部および内部関係なく情報を読み取ることができた。
【００４９】
上記電磁波遮蔽シート６を挿入している実施例１では、冊子１を開いたときにはＩＣチップ９内の情報の読み取りができ、冊子１を閉めたときにはＩＣチップ９内の情報の読み取りができないことが確認された。
【００５０】
また、実施例１において、意図的に開閉するのではなく、冊子１を自然な状態で放置した際、表紙２と本文用紙４との間に隙間ができてしまった際にも冊子１を閉じたときと同様の結果がみられ、スキミングを防止することができた。
【００５１】
以上説明したように、上記実施の形態の非接触型情報媒体付き冊子１によれば、電磁波遮蔽シート６でＩＣインレイ５を挟みこむように本文用紙４内に設けたことにより、外部からの不正な情報の読み取りはされず、スキミングを未然に防ぐことができた。更には使用時には不具合なく情報を読み取ることも確認できた。
【産業上の利用可能性】
【００５２】
本発明の非接触型情報媒体付き冊子１は、未然にスキミングを防ぐために不使用時では外部からの読み取り不可能になり、正規に使用する時のみ内部からの機械読み取りが可能になり、スキミング防止機能を備えた冊子を得ることができる。そのため、パスポートや通帳など個人情報の漏洩を防ぐ必要のある非接触型情報媒体において優れた実用上の効果を発揮する。
【符号の説明】
【００５３】
１…非接触型情報媒体付き冊子、２…表紙、３…内貼り用紙、４…本文用紙、５…ＩＣインレイ、６…電磁波遮蔽シート、７…アンテナシート、８…アンテナコイル、９…ＩＣチップ、１０…基材、１１…接着層。
【図１】
2014069449.tif 000003
【図２】
2014069449.tif 000004
【図３】
2014069449.tif 000005
【図４】
2014069449.tif 000006